(57)【要約】      （修正有）【課題】袋体に収容した粉状の機能性剤の漏れを防止しスムーズな通気性透液性を確保する皮膚面貼付具を提供する。【解決手段】通気性透液性を有する不織布材と、不織布材上に設けられる非通気性非透液性を有する粘着剤層５とから形成される袋表部材と、前記粘着剤層の外表面に剥離可能に設けられる非通気性非透液性を有するカバー材と、前記袋表部材の裏面に対面させて設けられる非通気性非透液性を有する袋裏部材と、前記袋表部材と前記袋裏部材との間に収容される粉状の機能性剤と、を備える皮膚面貼付具１において、前記非通気性非透液性を有する粘着剤層に複数のミシン目状の切り孔８を複数形成することを特徴とする。【選択図】図１
0003233842.tif 000002
【実用新案登録請求の範囲】
【請求項１】
通気性透液性を有する不織布材と、不織布材上に設けられる非通気性非透液性を有する粘着剤層とから形成される袋表部材と、
前記粘着剤層の外表面に剥離可能に設けられる非通気性非透液性を有するカバー材と、
前記袋表部材の裏面に対面させて設けられる非通気性非透液性を有する袋裏部材と、
前記袋表部材と前記袋裏部材との間に収容される粉状の機能性剤と、
を備える皮膚面貼付具において、
前記非通気性非透液性を有する粘着剤層に複数のミシン目状の切り孔を複数形成することを特徴とする皮膚面貼付具。
【請求項２】
粘着剤層に形成される複数のミシン目状の切り孔を収容される粉状の機能性剤の漏れを防止し汗等の体液の通過及び体液により液化した機能性剤の通過がスムーズになる長さ及び数に設定することを特徴とする請求項１に記載の皮膚面貼付具。
【考案の詳細な説明】
【技術分野】
【０００１】
本考案は、足裏等の皮膚面に着脱可能に貼付する健康増進用の皮膚面貼付具に関する。
【背景技術】
【０００２】
従来の皮膚面貼付具は粉状の機能性剤を収容した袋体の皮膚面貼付面側に通気性透液性を有する不織布上に非通気性非透液性の粘着剤層を形成し、粘着層に透孔を形成し通気性透液性を確保していた。
【先行技術文献】
【特許文献】
【０００３】
【特許文献１】特開２０１８−８８２５９号公報
【考案の概要】
【考案が解決しようとする課題】
【０００４】
しかしながら、従来の粘着層に透孔を形成する方式は、透孔の大きさを袋体に収容した粉状の機能性剤の漏れを防止し通気性透液性を確保することが困難になるという問題を有している。
【０００５】
本考案は、従来技術の持つ問題点を解決するもので、袋体に収容した粉状の機能性剤の漏れを防止しスムーズな通気性透液性を確保する皮膚面貼付具を提供することを目的とする。
【課題を解決するための手段】
【０００６】
本考案の皮膚面貼付具は、前記課題を解決するため、通気性透液性を有する不織布材と、不織布材上に設けられる非通気性非透液性を有する粘着剤層とから形成される袋表部材と、前記粘着剤層の外表面に剥離可能に設けられる非通気性非透液性を有するカバー材と、前記袋表部材の裏面に対面させて設けられる非通気性非透液性を有する袋裏部材と、前記袋表部材と前記袋裏部材との間に収容される粉状の機能性剤と、を備える皮膚面貼付具において、前記非通気性非透液性を有する粘着剤層に複数のミシン目状の切り孔を複数形成することを特徴とする。
【０００７】
また、本考案の皮膚面貼付具は、粘着剤層に形成される複数のミシン目状の切り孔を収容される粉状の機能性剤の漏れを防止し汗等の体液の通過及び体液により液化した機能性剤の通過がスムーズになる長さ及び数に設定することを特徴とする。
【考案の効果】
【０００８】
通気性透液性を有する不織布材と、不織布材上に設けられる非通気性非透液性を有する粘着剤層とから形成される袋表部材と、前記粘着剤層の外表面に剥離可能に設けられる非通気性非透液性を有するカバー材と、前記袋表部材の裏面に対面させて設けられる非通気性非透液性を有する袋裏部材と、前記袋表部材と前記袋裏部材との間に収容される粉状の機能性剤と、を備える皮膚面貼付具において、前記非通気性非透液性を有する粘着剤層に複数のミシン目状の切り孔を複数形成することで、粉状の機能性剤の漏れを防止し、汗等の体液の通過及び体液により液化した機能性剤の通過がスムーズにすることが可能となる。
粘着剤層に形成される複数のミシン目状の切り孔を収容される粉状の機能性剤の漏れを防止し汗等の体液の通過及び体液により液化した機能性剤の通過がスムーズになる長さ及び数に設定することで、収容される機能性剤の性状の変化にたいおうすることが可能となる。
【図面の簡単な説明】
【０００９】
【図１】本考案の実施形態を示す図である。
【図２】本考案の実施形態を示す図である。
【図３】本考案の実施形態を示す図である。
【図４】（a）(b)本考案の実施形態を示す図である。
【考案を実施するための形態】
【００１０】
本考案の皮膚面貼付具１の実施の形態を図により説明する。
【００１１】
図に示されるように、本考案の皮膚面貼付具１は、袋表部材２と袋裏部材3により形成される袋体に、粉状の機能性剤７が収容される。粉状の機能性剤７としては、例えば、皮膚から発せられる汗を吸収し液化するデキストリン粉体と、汗を吸収し液化し化学反応してガスを発生するガス発生剤、抗菌・殺菌作用を有する植物粉体、発汗作用を有する植物粉体の混合物等である。
【００１２】
袋表部材２は、通気性透液性を有する不織布材４上に非通気性非透液性を有する粘着剤層５が積層して形成される。粘着剤層５上に剥離可能に非通気性非透液性を有するカバー材６が配置される。
【００１３】
袋裏部材３は、非通気性非透液性を有するアルミ蒸着シート等により形成される。
【００１４】
袋表部材２に袋体に収容した粉状の機能性剤７が汗等の体液により液化して皮膚面に接触するために非通気性非透液性を有する粘着剤層５に通気性透液性を持たせるためにミシン目状の切り孔８が形成される。
【００１５】
本考案の皮膚面皮膚面貼付具１の使用に当たり，カバー材６を剥がすとミシン目状の切り孔８が施された粘着剤層５の面が露出するので、この面に足裏などの皮膚面へ向かい合わせて貼付する。
【００１６】
従来、粘着剤層５に通気性透液性を持たせるためにパンチ等で複数の透孔を形成していたが、透孔の大きさを袋体に収容した粉状の機能性剤の漏れを防止し通気性透液性を確保することが困難になるという問題を有している。さらに、パンチで複数の透孔を形成する作業が困難であるという問題を有する。
【００１７】
図４（a)(b)は、粘着剤層５にミシン目状の切り孔8を連続的に形成した袋表部材２を形成するための一実施形態を示す図である。
【００１８】
カバー材供給ローラ９からカバー材６が供給される。供給されるカバー材6上に粘着剤塗布装置１０により粘着剤層５が塗布される。
【００１９】
粘着剤層５が塗布されたカバー材６の一定間隔をおいた下流側に粘着剤層５に複数のミシン目状の切り孔８を形成するための装置が配置される。粘着剤層５に複数のミシン目状の切り孔８を形成するための装置は、粘着剤層５の上部に位置する複数の回転刃を備えた回転刃ロー１１と、回転刃ローラ１１と対抗した粘着剤層５が塗布されたカバー材６の下部に位置する押型ローラ１２により構成される。
【００２０】
押型ローラ１２の外周には凹部と凸部が交互に形成され、押型ローラ１２の凸部と回転刃ローラ１１が対抗位置に達した時回転刃によりミシン目状の切り孔８が形成され、押型ローラ１２の凹部と回転刃ローラ１１が対抗位置に達した時、ミシン目状切り孔８は形成されない。
【００２１】
ミシン目状の切り孔８が形成された粘着剤層５の下流に不織布供給ローラ１３が配置され、不織布供給ローラ１３からミシン目状切り孔８が形成された粘着剤層５上に不織布４が供給され、圧着ローラ１４により不織布が粘着剤層５に確実に積層される。その下流に
袋表部材巻き取りローラ１５が配置される。上記工程により粘着剤層５に複数のミシン目状切り孔８を有する袋表部材２が効率よく形成することが可能となる。
【００２２】
以上のように、本考案の皮膚面貼付具によれば、粉状の機能性剤の漏れを防止し、汗等の体液の通過及び体液により液化した機能性剤の通過がスムーズにすることが可能となる。
【符号の説明】
【００２３】
１：皮膚面貼付具、２：袋表部材、３：袋裏部材、４：不織布材、５：粘着剤層、６：カバー材、７：粉状の機能性剤、８：ミシン目状の切り孔、９：カバー材供給ローラ、１０：粘着剤供給装置、１１：回転ローラ、１２：押型ローラ、１３：不織布供給ローラ、１４：圧着ローラ、１５：袋表部材巻き取りローラ
【図１】
0003233842.tif 000003
【図２】
0003233842.tif 000004
【図３】
0003233842.tif 000005
【図４】
0003233842.tif 000006